(57)【要約】【課題】  駆動部が無くてもストレッチを施し得るボディケアマットを提供する。【解決手段】  マット本体１内に極小ビーズが充填されたボディケアマットであって、マット本体１は、ストレッチニットで平面視縦長の袋状に縫製されるとともに、表地と裏地とを縫合するステッチ２によって前記極小ビーズが収容される複数の収容部３に分けられ、複数の収容部３は、マット本体１の横方向中央を縦方向に延びる中央縦仮想線Ｍに関して線対称なすとともにマット本体１上に仰臥した人体の脊柱による凸部分が嵌る凹部４を中央縦仮想線Ｍ上に形成する脊柱サポート用収容部３ａを含む。【選択図】  図１
0003207423.tif 000002
【実用新案登録請求の範囲】
【請求項１】
マット本体内に極小ビーズが充填されたボディケアマットであって、
前記マット本体は、ストレッチニットで平面視縦長の袋状に縫製されるとともに、表地と裏地とを縫合するステッチによって前記極小ビーズが収容される複数の収容部に分けられ、
前記複数の収容部は、前記マット本体の横方向中央を縦方向に延びる中央縦仮想線に関して線対称なすとともに前記マット本体上に仰臥した人体の脊柱による凸部分が嵌る凹部を前記中央縦仮想線上に形成する脊柱サポート用収容部を含む、前記ボディケアマット。
【請求項２】
前記脊柱サポート用収容部は、平面視において縦長の略長円環状を呈し、前記マット本体の縦方向に並んで配置される、請求項１に記載のボディケアマット。
【請求項３】
前記複数の収容部は、前記脊柱サポート用収容部の横方向外側に、横方向に延びる複数本の前記ステッチによって分けられる複数のサイドサポート用収容部を含み、
前記サイドサポート用収容部は、前記中央縦仮想線に関して線対称に形成されている、請求項１又は２に記載のボディケアマット。
【請求項４】
前記マット本体を複数のパーツに着脱可能に分割する着脱手段を更に備えることを特徴とする請求項１〜３の何れかに記載のボディケアマット。
【請求項５】
前記極小ビーズは、直径が０．５ｍｍ〜１．０ｍｍの発泡ポリスチレンビーズである、請求項１〜４の何れかに記載のボディケアマット。
【考案の詳細な説明】
【技術分野】
【０００１】
本考案は、ストレッチに用いることのできるボディケアマットに関する。
【背景技術】
【０００２】
従来、エアー給排装置によって収縮膨張する空気袋を設けて強制的にストレッチするようにしたストレッチマット装置が知られている（特許文献１、２等）。
【先行技術文献】
【特許文献】
【０００３】
【特許文献１】特開２００１−１６１７６８号公報
【特許文献２】特開２０１０−１０４６９８号公報
【考案の概要】
【考案が解決しようとする課題】
【０００４】
しかしながら、従来のストレッチマット装置は、強制的にストレッチを行うための駆動部を必要とするため構造が複雑で高価な装置となる。
【０００５】
そこで本考案は、駆動部が無くてもストレッチを施し得るボディケアマットを提供することを主たる目的とする。
【課題を解決するための手段】
【０００６】
上記目的を達成するため、本考案は、マット本体内に極小ビーズが充填されたボディケアマットであって、前記マット本体は、ストレッチニットで平面視縦長の袋状に縫製されるとともに、表地と裏地とを縫合するステッチによって前記極小ビーズが収容される複数の収容部に分けられ、前記複数の収容部は、前記マット本体の横方向中央を縦方向に延びる中央縦仮想線に関して線対称なすとともに前記マット本体上に仰臥した人体の脊柱による凸部分が嵌る凹部を前記中央縦仮想線上に形成する脊柱サポート用収容部を含む。
【０００７】
前記脊柱サポート用収容部は、平面視において縦長の略長円環状を呈し、前記マット本体の縦方向に並んで配置されることが好ましい。
【０００８】
前記複数の収容部は、前記脊柱サポート用収容部の横方向外側に、横方向に延びる複数本の前記ステッチによって分けられる複数のサイドサポート用収容部を含み、前記サイドサポート用収容部は、前記中央縦仮想線に関して線対称に形成されていることが好ましい。
【０００９】
前記マット本体を複数のパーツに着脱可能に分割する着脱手段を更に備えることが好ましい。
【００１０】
前記極小ビーズは、直径が０．５ｍｍ〜１．０ｍｍの発泡ポリスチレンビーズであることが好ましい。
【考案の効果】
【００１１】
本考案によれば、前記複数の収容部は極小ビーズが充填されて膨らんでおり、前記中央縦仮想線上に設けられた前記脊柱サポート用収容部の凹部に、前記ボディケアマット上に仰臥した人体の脊柱の凸部分が嵌ってフィットすることにより、体の歪みが矯正され得る。前記収容部を含む前記マット本体がストレッチニットにより形成されているため、フィット性が増す。
【００１２】
ボディケアマット上に仰臥した人体の体重が作用することにより、収容部に充填された極小ビーズが収容部内で流動し、人体の凹凸形状に合わせるようにフィットし、自体の背面を適切に圧迫し得る。
【００１３】
また、前記極小ビーズを直径０．５ｍｍ〜１．０ｍｍの発泡ポリススチレンビーズとすることで、適度な流動性が得られる。
【図面の簡単な説明】
【００１４】
【図１】図１は、本考案に係るボディケアマットの一実施形態を斜め上方から視た斜視である。
【図２】図２は、図１のボディケアマットの一部を拡大して示す平面図である。
【図３】図３は、図１のボディケアマットの側面図である。
【図４】図４は、マット本体を３分割した状態を示す斜視図である。
【図５】図５は、図１のボディケアマットを用いた場合の実験結果を示す比較画像である。
【考案を実施するための形態】
【００１５】
以下、本考案に係るボディケアマットについて、図１〜図５を参照しつつ説明する。
【００１６】
本考案に係るボディケアマットは、図１〜図４に示すように、マット本体１内に極小ビーズ（図示せず。）が充填されている。マット本体１は、ストレッチニットで平面視縦長状の袋状に縫製されている。また、マット本体１は、表地と裏地とを縫合するステッチ２によって極小ビーズを収容する複数の収容部３に分けられている。
【００１７】
マット本体１を形成するストレッチニットは、好ましくは緯（ヨコ）方向及び経（タテ）方向の伸び率が４０〜６０％であり、より好ましく、ポリエステル繊維９０％前後とポリウレタン繊維１０％前後を含む複合糸でタテヨコの伸び率が５０％程度である。極小ビーズは、好ましくは、直径が０．５ｍｍ〜１．０ｍｍの発泡ポリススチレンビーズとされる。
【００１８】
極小ビーズは、マット本体１を形成するストレッチニットがやや伸長する程度に充填され、マット本体１が所望の厚さになっている。マット本体１の厚さは、  隣り合うステッチ２の離間距離Ｌと充填度合い（ストレッチニットの伸長度合い）によって変わるため、これらを適宜設定することにより、マット本体１の所望の厚さｔ（図３）が得られる。マット本体１の厚さは、例えば、４ｃｍ〜８ｃｍとされる。図示例のマット本体１は、縦１９０ｃｍ、横６５ｃｍの直方体状であるが、適宜寸法に設定することができる。
【００１９】
複数の収容部３は、マット本体１の横方向中央を縦方向に延びる中央縦仮想線Ｍに関して線対称なすとともにマット本体１上に仰臥した人体の脊柱による凸部分が嵌る凹部４を中央縦仮想線Ｍ上に形成する脊柱サポート用収容部３ａを備えている。図において脊柱サポート用収容部３ａの凹部４は、中央縦仮想線Ｍに関して線対称な長円形をしているが、黒く表れているのは、デザイン性の観点から凹部４に濃色の合皮片（図示例では楕円形合皮片）が縫い付けられているためである。なお、図１において、矢印Ｘ方向が、マット本体１の横方向であり、矢印Ｙ方向がマット本体１の縦方向である。
【００２０】
図示例の脊柱サポート用収容部３ａの各々は、中央縦仮想線Ｍに関して線対称であって平面視において縦長の略長円環状を呈しており、マット本体１の縦方向に並んで配置されている。
【００２１】
また、複数の収容部３は、一対の脊柱サポート用収容部３ａの横方向外側に、横方向に延びる複数本のステッチ２によって分けられた複数のサイドサポート用収容部３ｂを備えている。
【００２２】
図示例において、マット本体１の縦方向中間位置に配置される収容部３は、中央縦仮想線Ｍと交差する位置に設けられた横長の長円状凹部４ｍを囲む長円輪状収容部３ｍと、長円輪状収容部３ｍの横方向両側に設けられて、横長の長円状凹部４ｎを囲む略三角形状収容部３ｎと、を備えている。
【００２３】
サイドサポート用収容部３ｂは、脊柱サポート用収容部３ａを挟んで左右対称に配置されている。サイドサポート用収容部３ｂを形成するステッチ２による仕切り線は、緩やかな曲線状とされている。
【００２４】
複数の収容部３は、周囲が完全には縫合されておらず、部分的に、例えば其々の両端部において、縫合されていない未縫合部分５を有し、隣接する収容部３同士の内部が未縫縫合部分５を通じて互いに連通し、未縫縫合部分５を通じて隣接する収容部３内を極小ビーズが相互に流動可能となっている。
【００２５】
マット本体１は、ボタン、面ファスナー、ジッパー等により形成される着脱手段６により、複数のパーツに着脱自在とすることができ、図示例では３つのパーツに着脱可能となっている（図４）。マット本体１を分割したパーツは、例えば座布団等として利用することができる。
【００２６】
上記構成を有するボディケアマット上に仰向けに寝ると、ボディケアマット上に仰臥した人体の体重が作用することにより、収容部３に充填された極小ビーズが収容部内で流動し、人体の凹凸形状に合わせるようにフィットし、自体の背面にフィットする。収容部３を含むマット本体１がストレッチニットにより形成されているため、フィット性が増す。
【００２７】
特に、中央縦仮想線に関して線対称なす脊柱サポート用収容部３により、脊柱サポート収容部に形成される凹部４に、マット本体１上に仰臥した人体の脊柱による凸部分が嵌るとともに、中央縦仮想線に関して線対称なす脊柱サポート用収容部３が人体の脊柱の凸部分の両サイドにフィットし、適度の圧力で押圧することによって、脊柱の凸部分が好適にサポートされ、体の左右の歪みを矯正する作用が得られる。
【００２８】
また、収容部３に充填される極小ビーズを直径０．５ｍｍ〜１．０ｍｍの発泡ポリススチレンビーズとすることで、適度な流動性が得られ、フィット性を良化する。
【００２９】
また、ボディケアマットは、人体の凹凸形状にフィットするため、人体の微細な陥凹部として捉えられる、いわゆるツボ（経穴）に極小ビーズがストレッチニットを介して入り込み、脊柱に沿って多く点在するツボを押圧し刺激し得る。
【００３０】
また、発泡ポリスチレン製の極小ビーズは、断熱効果が得られ、人体の保温効果もある。
【００３１】
ボディケアマットを用いてストレッチを行うには、ボディケアマット上で仰臥して静止しているだけでも上記の矯正効果が認められ得るが、ボディケアマット上で、足先を左右に振る、足を片方ずつ持ち上げる、両手を上げて万歳をする、腰を左右に揺する、などの簡単な運動を数分間行ってもよい。
【００３２】
図５は、４０代女性がボディケアマット上に仰臥して２分間静止後、片方ずつ交互に足を上げ下げ動作を１回行った後の結果を示すもので、左側の「ＢＥＦＯＲＥ」はボディケアマット使用前に平らなベッド上に仰臥した状態を示し、右側の「ＡＦＴＥＲ」はボディケアマット使用後に平らなベッド上で仰臥した状態を示す画像である。図５から分かるように、ボディケアマット使用前は真っ直ぐに寝ているつもりでも「くの字」に曲がっていた体が、本考案のボディケアマット使用後は真っ直ぐに矯正され、指先も綺麗に揃っていることが分かる。
【００３３】
本考案は、上記実施形態に限定されず、本考案の趣旨を逸脱しない範囲において種々の変更が可能である。
【００３４】
例えば、脊柱サポート用収容部は、図示形状のように中央縦仮想線と交差する長円環状に限らず、中央縦仮想線に関して線対称な円弧状或いは波状の収容部の対を中央縦仮想線の両側に離間して形成してもよいし、中央縦仮想線を挟むようにして中央縦仮想線の両側に平行に延びる２本の収容部によって形成してもよい。
【００３５】
また、上記実施形態では、マット本体を３分割としてが、２分割或いは４分割以上とすることもできる。
【符号の説明】
【００３６】
１  マット本体
２  ステッチ
３  収容部
３ａ  脊柱サポート用収容部
３ｂ  サイドサポート用収容部
４  凹部
５  未縫合部分
６  着脱手段
Ｍ  中央縦仮想線
【図１】
0003207423.tif 000003
【図２】
0003207423.tif 000004
【図３】
0003207423.tif 000005
【図４】
0003207423.tif 000006
【図５】
0003207423.tif 000007